(57)【要約】【課題】  高い検出感度と広い検出領域を実現できる簡易な近接センサを提供する。【解決手段】  入力電極３０と出力電極４０との間の静電容量の変化に基づいて物体の近接を検出する近接センサにおいて、入力電極３０は、開口部３２の周囲を完全に閉じる環状部３１を有し、出力電極４０は、開口部３２に配された第一部位４１と、環状部３１の外周に隣接して配された第二部位４２とを有する。そして第一部位４１と第二部位４２は連結部４３によって連結されている。【選択図】  図３
2016131077.tif 000002
【特許請求の範囲】
【請求項１】
所定の間隙を介して互いに絶縁された入力電極および出力電極と、前記入力電極と前記出力電極との間の静電容量の変化に基づいて物体の近接を検出する検知回路とを備えた近接センサにおいて、
前記入力電極と前記出力電極の一方は、内側の開口部の周囲を完全に閉じる環状部を有し、
前記入力電極と前記出力電極の他方は、前記開口部に配された第一部位と、前記環状部の外周の少なくとも一部に隣接して配された第二部位とを有し、前記第一部位と前記第二部位は連結部によって連結されていることを特徴とする近接センサ。
【請求項２】
前記環状部は、外形が長辺方向と短辺方向を有する略矩形状に形成され、
前記第二部位は、少なくとも前記長辺方向の１辺に配されていることを特徴とする請求項１に記載の近接センサ。
【請求項３】
前記第二部位は、前記環状部の略全周に配されていることを特徴とする請求項１に記載の近接センサ。
【請求項４】
前記第一部位と前記第二部位は、複数の前記連結部によって連結されていることを特徴とする請求項１乃至３のいずれかに記載の近接センサ。
【請求項５】
前記環状部は内周部分に複数の凹凸を有し、前記第一部位は外周部分に前記環状部の内周部分と一定の間隔を隔てるように複数の凹凸を有することを特徴とする請求項１乃至４のいずれかに記載の近接センサ。
【請求項６】
前記環状部は外周部分に複数の凹凸を有し、前記第二部位には前記環状部の外周部分と一定の間隔を隔てるように複数の凹凸を有することを特徴とする請求項１乃至５のいずれかに記載の近接センサ。
【請求項７】
前記環状部と前記第一部位と前記第二部位は平板状に形成され、前記環状部と前記第一部位は同一平面内にあり、前記第二部位は前記環状部と前記第一部位と異なる平面内にあることを特徴とする請求項１乃至６のいずれかに記載の近接センサ。
【請求項８】
前記環状部と前記第一部位と前記第二部位は平板状に形成され、前記環状部と前記第二部位は同一平面内にあり、前記第一部位は前記環状部と前記第二部位と異なる平面内にあることを特徴とする請求項１乃至６のいずれかに記載の近接センサ。
【請求項９】
前記環状部と前記第一部位と前記第二部位は平板状に形成され、前記第一部位は前記環状部よりも高い位置にあり、前記第二部位は前記環状部よりも低い位置にあることを特徴とする請求項１乃至６のいずれかに記載の近接センサ。
【発明の詳細な説明】
【技術分野】
【０００１】
本発明は、例えばキーレスエントリーシステムを搭載した車両のドアハンドルの内部などに設置され、近接物体（ユーザ等）を検出することができる近接センサに関する。
【背景技術】
【０００２】
近年、自動車には、ドアの施錠・解錠をキー操作なしで行うことができるキーレスエントリーシステムが装備されることが多い。キーレスエントリーシステムは、車内に設けられた認証部と、ユーザが所持する携帯機と、車両外側のドアハンドルに設けられユーザがドアハンドルの所定の位置に接触するとその接触を検知する近接センサと、ドアの施錠を行う施錠部と、ドアの解錠を行う解錠部とを備えている。
【０００３】
また、近接センサとして、絶縁基板の一方の面に所定のパターンで形成された検知電極及び接地電極と、検知電極と接地電極との間の静電容量の変化に基づいて検知電極及び接地電極に物体が接近したことを検出する検知回路とを備えた静電容量形近接センサが知られている。
【０００４】
例えば特許文献１の静電容量形近接センサは、検出電極と接地電極との間の静電容量に基づく周波数で発振する発振回路と、この発振回路の発振周波数を判別する判定回路を有する検知回路を備え、この検知回路によって物体が近接することによる静電容量の変化を検出して、物体の有無を判別するようにしている。
【０００５】
この特許文献１の静電容量形近接センサでは、検出電極の周囲に接地電極を形成するとともに、検出電極は接地電極と一定の間隔を隔てて矩形波状に形成され、接地電極との間の静電容量が大きくなるように構成されている。
【先行技術文献】
【特許文献】
【０００６】
【特許文献１】特開２０００−４８６９４号公報
【発明の概要】
【発明が解決しようとする課題】
【０００７】
しかしながら、特許文献１に記載の近接センサでは、検出電極を矩形波状に形成することで或る程度は接地電極との間の静電容量を大きくでき、検出感度を高めることができるものの、検出電極の周囲に接地電極が形成されているだけであるため、検出範囲は接地電極の内側の領域に限定され、検出範囲が極めて限定的である。
【０００８】
また、検出範囲を広くするためには、検出電極を大きくしその周囲の接地電極も大きくする必要があるが、各電極を大きくしても検出範囲は接地電極の内側の領域に限定されるため、その効果は限定的である。また、検出電極を大きくし過ぎると、接地電極から離れた検出電極の中央部では検出感度が低下し、検出範囲を広くするために部分的に検出感度を犠牲にすることになりかねない。
【０００９】
そこで、本発明は、検出感度を高めつつ、より検出範囲を広くできる近接センサを簡易な構成で実現しようとするものである。
【課題を解決するための手段】
【００１０】
以下、上記の課題を解決するために為された本発明の態様を記載する。なお、以下に記載の各態様において採用される構成要素は、可能な限り任意な組み合わせで採用することができる。また、本発明の態様あるいは技術的特徴は以下に記載のものに限定されることなく、明細書全体および図面に記載されたもの、或いはそれらの記載から当業者が把握することの出来る発明思想に基づいて認識されるものである。
【００１１】
本発明の一実施態様は、所定の間隙を介して互いに絶縁された入力電極および出力電極と、前記入力電極と前記出力電極との間の静電容量の変化に基づいて物体の近接を検出する検知回路とを備えた近接センサにおいて、
前記入力電極と前記出力電極の一方は、内側の開口部の周囲を完全に閉じる環状部を有し、
前記入力電極と前記出力電極の他方は、前記開口部に配された第一部位と、前記環状部の外周の少なくとも一部に隣接して配された第二部位とを有し、前記第一部位と前記第二部位は連結部によって連結されている、ことを特徴とする。
【００１２】
本発明の他の実施態様では、
「前記環状部は、外形が長辺方向と短辺方向を有する略矩形状に形成され、
前記第二部位は、少なくとも前記長辺方向の１辺に配されていること」、
「前記第二部位は、前記環状部の略全周に配されていること」、
「前記第一部位と前記第二部位は、複数の前記連結部によって連結されていること」、「前記環状部は内周部分に複数の凹凸を有し、前記第一部位は外周部分に前記環状部の内周部分と一定の間隔を隔てるように複数の凹凸を有すること」、
「前記環状部は外周部分に複数の凹凸を有し、前記第二部位には前記環状部の外周部分と一定の間隔を隔てるように複数の凹凸を有すること」、
「前記環状部と前記第一部位と前記第二部位は平板状に形成され、前記環状部と前記第一部位は同一平面内にあり、前記第二部位は前記環状部と前記第一部位と異なる平面内にあること」、
「前記環状部と前記第一部位と前記第二部位は平板状に形成され、前記環状部と前記第二部位は同一平面内にあり、前記第一部位は前記環状部と前記第二部位と異なる平面内にあること」、
「前記環状部と前記第一部位と前記第二部位は平板状に形成され、前記第一部位は前記環状部よりも高い位置にあり、前記第二部位は前記環状部よりも低い位置にあること」、
を特徴とすることを含む。
【発明の効果】
【００１３】
本発明の近接センサによれば、入力電極と出力電極の間の静電容量を高めつつ、検出感度を高めることができるとともに、検出領域が一方の電極の環状部の内側領域だけではなく外側領域にまで広がるため、検出領域を広くすることができる。
【図面の簡単な説明】
【００１４】
【図１】本発明の第１の実施形態例に係る近接センサの概略構成図である。
【図２】本発明の第１の実施形態例に係るセンサ電極の斜視図である。
【図３】本発明の第１の実施形態例に係るセンサ電極の分解斜視図である。
【図４】本発明の第１の実施形態例に係るセンサ電極を示す図であり、（ａ）は平面図、（ｂ）は（ａ）中のＡ−Ａ断面図である。
【図５】本発明の第２の実施形態例に係るセンサ電極を示す図であり、（ａ）は平面図、（ｂ）は（ａ）中のＢ−Ｂ断面図、（ｃ）は（ａ）中のＣ−Ｃ断面図である。
【図６】本発明の第３の実施形態例に係るセンサ電極を示す図であり、（ａ）は平面図、（ｂ）は（ａ）中のＤ−Ｄ断面図、（ｃ）は（ａ）中のＥ−Ｅ断面図である。
【図７】本発明の第４の実施形態例に係るセンサ電極を示す図であり、（ａ）は平面図、（ｂ）は（ａ）中のＦ−Ｆ断面図、（ｃ）は（ａ）中のＧ−Ｇ断面図である。
【発明を実施するための形態】
【００１５】
以下、図面を参照して本発明の実施形態例を説明する。
【００１６】
（第１の実施形態例）
本発明の第１の実施形態例に係る近接センサ１を図１から図４を参照して説明する。
本例の近接センサ１は、所謂キーレスエントリーシステムにおける車両ドアの解錠・施錠用のセンサとして用いることができるものである。この場合、センサ電極は被操作体としてのドアハンドル（不図示）の内部に設けられ、ドアハンドルの所定の面にユーザが接触すると、その接触を検知することができるように所定の位置に配される。
【００１７】
近接センサ１は、主に検知回路１０とセンサ電極２０からなり、センサ電極２０は、所定の間隙を介して互いに絶縁された入力電極３０と出力電極４０を備えている。
【００１８】
入力電極３０には、矩形波状の高周波（例えば１００ｋＨｚ〜２００ｋＨｚ）パルス電圧が駆動信号Ｄｒｖとして印加される。出力電極４０は検出用のトランジスタＴのベースに接続される。
駆動信号Ｄｒｖを入力電極３０に印加すると、出力電極４０では駆動信号Ｄｒｖの立上りと立下りに対応したパルス状の電流が検出される。
【００１９】
センサ電極２０の周囲に物体（被検出物）が存在しないときには、入力電極３０と出力電極４０との間にのみ電荷が分布する。一方、センサ電極２０に対して人体のような大地間容量の大きくなる物体が接近すると、入力電極３０と物体との間にコンデンサが形成されることになる。このコンデンサは大地へのバイパスコンデンサとして機能することになり、入力電極３０と出力電極４０との間の静電容量は物体が存在しないときよりも減少することになる。その結果、駆動信号Ｄｒｖの立上り時および立下り時のトランジスタＴのベースに流れる電流が減少し、トランジスタＴのコレクタ出力である判定信号Ｓには、物体の存否に応じて波高値の変化が生じる。
【００２０】
判定信号Ｓは判定回路１１に入力される。判定回路１１では、電源投入時の判定信号の波高値に基づいて求めた基準値を記憶し、以後の判定信号Ｓの波高値と基準値とを逐次比較する。すなわち、判定信号Ｓは一定周期で取り出されて基準値と比較される。また、判定回路では判定信号Ｓの波高値が基準値よりも小さくなると物体が接近したものとして検知信号Ｄｓを発生し、所定のスイッチを制御することにより車両ドアの解錠もしくは施錠を行うことができる。
【００２１】
なお、検知回路１０は上記構成に限定されるものではなく、静電容量の変化に基づく検出が可能な公知の回路構成を適用することができ、例えば一定の周波数で発振する発振回路と、この発振回路の出力パルスのデューティーを入力電極及び出力電極の静電容量で変化させる単安定マルチバイブレータと、この単安定マルチバイブレータの出力の平均値を出力するローパスフィルタとにより検知回路を構成することもできる。
また、検知回路１０は、共振回路と、この共振回路に電圧を供給する電源回路とを備えるものであってもよい。この場合、共振回路は、センサ電極２０の容量変化に応じて出力電圧の振幅を変化させ、その振幅変化に基づいて物体の接近を検知する判別手段を備える。
【００２２】
次に、本例のセンサ電極２０の構成を詳しく説明する。
センサ電極２０を構成する入力電極３０と出力電極４０は、いずれも銅、銅合金、アルミニウム合金等の導電性に優れる金属板の加工品からなる。このように金属板の加工品を用いることにより、プリント基板に電極パターンを形成した場合には不可能な任意の三次元的な電極形状が可能になり、センサ電極２０を配置する空間の三次元形状に容易に対応することができる。
【００２３】
本例の入力電極３０は、全体的に上下左右対称な平面形状に形成され、内側に開口部３２を有し、開口部３２の周囲が完全に閉じた環状部３１によって構成されている。環状部３１の外形は長辺方向と短辺方向を有する矩形状を成し、４つの角部にそれぞれ貫通孔からなる第１取付孔３４が設けられている。
環状部３１の長辺部分の内周には、中央側に延びる４つの凸部３３が設けられている。
なお、環状部３１の大きさと形状は、センサ電極２０が配置される空間の大きさや形状、物体の近接を検知すべき領域の大きさや形状に応じて適宜設計することができる。
【００２４】
出力電極４０は、全体的に上下左右対称な形状に形成され、中央側に位置する第一部位４１と周辺側に位置する２つの第二部位４２を有し、第一部位４１と第二部位４２は互いに連結部４３で連結されて一体構造となっている。
第一部位４１は、平板状に形成され、環状部３１の内周部分と所定の間隙を隔てるようにして開口部３２に配される。このため、第一部位４１の外周部分には、環状部３１の４つの凸部３３にそれぞれ対応する位置に４つの凹部４４が設けられている。
第二部位４２は、平板状に形成され、環状部３１と所定の間隙を隔てるようにして環状部３１の外周に隣接して配され、本例では環状部３１の長辺方向の２辺に隣接して配されている。
第一部位４１と第二部位４２には、所定の位置に貫通孔からなる第２取付孔４５が設けられている。
【００２５】
第一部位４１と第二部位４２は同一平面内にあり、２つの連結部４３は第一部位４１と第二部位４２よりも低い位置にあって略Ｃ字形状を成している。連結部４３の両端はそれぞれ第一部位４１と第二部位４２の下方に垂下され、これらを繋ぐ部分の上面と第一部位４１（と第二部位４２）の上面との高低差は入力電極３０の厚みよりも大きく設定されている。
【００２６】
入力電極３０と出力電極４０は、絶縁性樹脂の成形品からなるベース５０に組み付けられて固定される。なお、入力電極３０と出力電極４０は絶縁性樹脂を用いてインサート成形によって一体化することもできる。但し、インサート成形では複雑な形状の入力電極３０と出力電極４０の間隔を一定に保持するのが難しく、製品毎にバラツキが生じやすい問題がある。特に入力電極３０と出力電極４０の間隔が１ｍｍ程度に狭く設定される場合には、部分的に接触してしまう危険性があるため、本例のようなベースを用いるのが好ましいものである。
【００２７】
本例のベース５０には、入力電極３０の第１取付孔３４に嵌め込まれる第１取付突起５１と、出力電極４０の第２取付孔４５に嵌め込まれる第２取付突起５２が設けられている。
また、ベース５０には、第一部位４１と環状部３１との間隔を保つための第１仕切突起５３と、第二部位４２と環状部３１との間隔を保つための第２仕切突起５４と、第二部位４２の外側に位置する周辺突起５５が設けられている。
さらに、ベース５０には、連結部４３を収容して固定するための収容溝５６が設けられている。
【００２８】
ベース５０への入力電極３０と出力電極４０の固定は、まず出力電極４０を組み付け、その後に入力電極３０を組み付ける。出力電極４０を組み付ける際は、必要に応じて出力電極４０の下面に接着剤を塗布し、収容溝５６に連結部４３を収容しつつ、第２取付孔４５に第２取付突起５２を嵌め込む。入力電極３０Ａを組み付ける際は、必要に応じて入力電極３０の下面に接着剤を塗布し、第１取付孔３４に第１取付突起５１を嵌め込む。
なお、各取付突起の高さを各電極の厚みよりも高くし、各電極の上面から突き出している取付突起の先端部分を熱溶着等すれば、各電極をより強固にベース５０に固定することができる。
【００２９】
本例のセンサ電極２０では、ベース５０に入力電極３０と出力電極４０を組み付けることにより、簡単に入力電極３０の環状部３１と出力電極４０の第一部位４１と第二部位４２を同一平面上に固定することができる。また、第１仕切突起５３と第２仕切突起５４によって簡単に入力電極３０と出力電極４０の間隔を一定に保持することができるともに、収容溝５６に収容された連結部４３も入力電極３０から一定の間隔が保持される。
そして、センサ電極２０が例えばドアハンドルの車体側となるように、センサ電極２０をドアハンドル内に固定することにより、ドアハンドルの車体側の表面にユーザが接触（若しくは近接）すると、検知回路１０によりその接触等を検出することができる。
【００３０】
本例の近接センサ１では、入力電極３０と出力電極４０は所定の間隙を介して互いに絶縁され、入力電極３０は開口部３２の周囲を完全に閉じる環状部３１を有し、出力電極４０は開口部３２に配された第一部位４１と環状部３１の外周に隣接して配された第二部位４２を有している。
このため、入力電極３０と出力電極４０の間の静電容量を高め、検出感度を高めることができるとともに、検出領域が入力電極３０の内側領域だけではなく外側領域にまで広がるため、検出領域がより広くなる。
【００３１】
また、本例の近接センサ１では、入力電極３０の環状部３１の外形を平面視長方形とし、この環状部３１の長辺方向に出力電極４０の第二部位４２を配したことにより、単純な電極形状でありながら効果的に検出感度を高めつつ検出領域を広げることができる。
【００３２】
また、本例の近接センサ１では、入力電極３０の環状部３１の内周部分に複数の凸部３３を設けるとともに、出力電極４０の第一部位４１の外周部分に複数の凹部４４を設け、凸部３３が凹部４４の中に入り込み、これらが一定の間隔を隔てるようにしているため、入力電極３０の内側領域における検出感度を効果的に高めることができる。
【００３３】
なお、凸部３３と凹部４４の形状は特に限定されるものではなく、環状部３１の外周部分に任意の複数の凹凸を形成し、第一部位４１の外周部分に環状部３１と一定の間隔を隔てるように任意の複数の凹凸を形成してもよい。
【００３４】
（第２の実施形態例）
本発明の第２の実施形態例に係る近接センサのセンサ電極２０Ａを、図５を参照して説明する。図５において図４中の符号と同じ符号を付しているものは同等の構成要素を示しており、再度の説明は省略する。
【００３５】
本実施形態例と第１の実施形態例は、センサ電極の構成が異なる。
具体的には、第１の実施形態例では入力電極３０の環状部３１の長辺方向だけに出力電極４０の第二部位４２を配しているが、本実施形態例では入力電極３０の環状部３１の全周に亘って出力電極４０の第二部位４２を配している。
【００３６】
このため、本例の出力電極４０の第二部位４２は、平板状に環状に形成され、入力電極３０の環状部３１の外周と所定の間隙を隔てるようにして環状部３１の外周全周に亘って隣接して配されている。
また、出力電極４０の第一部位４１と第二部位４２は同一平面内にあり、第一部位４１と第二部位４２は４つの連結部４３で連結され一体構造となっており、４つの連結部４３は第一部位４１と第二部位４２よりも低い位置にあって略Ｃ字形状を成している。
【００３７】
本例においても、入力電極３０と出力電極４０は、絶縁性樹脂の成形品からなるベースに組み付けて固定することができるものであるが、図５には取付孔を省略している。なお、ベースは入力電極３０と出力電極４０の形状に合わせたものが用いられる。
【００３８】
本例のセンサ電極２０Ａを用いた近接センサにおいても、第１の実施形態例と同様、入力電極３０と出力電極４０の間の静電容量を高め、検出感度を高めることができるとともに、検出領域が入力電極３０の内側領域だけではなく外側全周にまで広がるため、検出領域がより一層広くなる。
【００３９】
（第３の実施形態例）
本発明の第３の実施形態例に係る近接センサのセンサ電極２０Ｂを、図６を参照して説明する。図６において図５中の符号と同じ符号を付しているものは同等の構成要素を示しており、再度の説明は省略する。
【００４０】
本実施形態例と第２の実施形態例は、センサ電極の構成が異なる。
具体的には、第２の実施形態例では入力電極３０の環状部３１の内側だけに凸部３３を形成しているが、本実施形態例では入力電極３０の環状部３１の内側と外側に複数の凸部３３を形成している。
そして、出力電極４０の第一部位４１の外周部分に環状部３１の内側の複数の凸部３３にそれぞれ対応する位置に複数の凹部４４を設けるとともに、第二部位４２の内周部分にも環状部３１の外側の複数の凸部３３にそれぞれ対応する位置に複数の凹部４４を設けている。
また、第２の実施形態例では入力電極３０の環状部３１と出力電極４０の第一部位４１と第二部位４２は同一平面上にあるが、本実施形態例では入力電極３０の環状部３１と出力電極４０の第一部位４１は同一平面上にあるものの、第二部位４２はこれらよりも略板厚分だけ下方に位置している。
【００４１】
本例においても、入力電極３０と出力電極４０は、絶縁性樹脂の成形品からなるベースに組み付けて固定することができるものであるが、図６には取付孔を省略している。なお、ベースは入力電極３０と出力電極４０の形状に合わせたものが用いられる。
【００４２】
本例のセンサ電極２０Ｂを用いた近接センサにおいては、入力電極３０と出力電極４０の間の静電容量がより一層高くなり、検出感度をより一層高めることができるとともに、検出領域が入力電極３０の内側領域だけではなく外側全周にまで広がるため、検出領域がより一層広くなる。
【００４３】
また、本例のセンサ電極２０Ｂを用いた近接センサにおいては、環状部３１と第一部位４１を同一平面内に配置し、第二部位４２は環状部３１と第一部位４１とは異なる平面内に配置したことにより、例えば物体（被検出物）が接触する面が若干湾曲している場合であっても、接触面の背面形状に沿うようにセンサ電極を配することができるため、検出領域全体に亘って検出感度を高めることができる。
なお、環状部３１と第二部位４２を同一平面内に配置し、第一部位４１は環状部３１と第二部位４２とは異なる平面内に配置してもよい。
【００４４】
本例においても凸部３３と凹部４４の形状は特に限定されるものではなく、環状部３１の内周部分と外周部分に任意の複数の凹凸を形成し、第一部位４１の外周部分と第二部位４２の内周部分に環状部３１と一定の間隔を隔てるように任意の複数の凹凸を形成してもよい。
【００４５】
（第４の実施形態例）
本発明の第４の実施形態例に係る近接センサのセンサ電極２０Ｃを、図７を参照して説明する。図７において図６中の符号と同じ符号を付しているものは同等の構成要素を示しており、再度の説明は省略する。
【００４６】
本実施形態例と第３の実施形態例は、センサ電極の構成が異なる。
具体的には、第２の実施形態例では第二部位４２だけを異なる平面内に配置しているが、本実施形態例では第一部位４１は環状部３１よりも板厚分だけ高い位置に配置し、第二部位４２は環状部３１よりも板厚分だけ低い位置に配置している。なお、各電極部の高さは、センサ電極全体の検出面の表面形状がセンサ電極を設置する面の形状に近似するように任意に設定することができる。
【００４７】
本例においても、入力電極３０と出力電極４０は、絶縁性樹脂の成形品からなるベースに組み付けて固定することができるものであるが、図７には取付孔を省略している。なお、ベースは入力電極３０と出力電極４０の形状に合わせたものが用いられる。
【００４８】
本例のセンサ電極２０Ｂを用いた近接センサにおいては、高い検出感度と広い検出領域を実現できるとともに、物体（被検出物）が接触する面の湾曲状態に応じて任意に環状部３１と第一部位４１と第二部位４２の高さを設定することができるため、容易に検出領域全体に亘って高い検出感度を実現することができる。
【００４９】
以上、本発明の実施形態例を説明したが、本発明はこれらの実施形態例に限定されるものではなく、本発明の趣旨を逸脱しない範囲で上記実施形態例を適宜に変形等できることは言うまでもない。
例えば、上記の実施形態例では近接センサを車両のドアハンドルに装着した場合を説明したが、本発明の近接センサは住宅や事務所等のドアにも適用できるものである。
また、上記の実施形態例では物体の近接を検知した際の制御として、ドアの解錠と施錠を制御する場合を説明したが、例えば室内側や室外側の各種照明や表示灯の点灯と消灯を制御するなどしてもよい。
【符号の説明】
【００５０】
１  近接センサ
１０  検知回路
１１  判定回路
２０、２０Ａ、２０Ｂ、２０Ｃ  センサ電極
３０  入力電極
３１  環状部
３２  開口部
３３  凸部
３４  第１取付孔
４０  出力電極
４１  第一部位
４２  第二部位
４３  連結部
４４  凹部
４５  第２取付孔
５０  ベース
５１  第１取付突起
５２  第２取付突起
５３  第１仕切突起
５４  第２仕切突起
５５  周辺突起
５６  収容溝
【図１】
2016131077.tif 000003
【図２】
2016131077.tif 000004
【図３】
2016131077.tif 000005
【図４】
2016131077.tif 000006
【図５】
2016131077.tif 000007
【図６】
2016131077.tif 000008
【図７】
2016131077.tif 000009